(57)【特許請求の範囲】
【請求項１】
上下枠と左右の縦枠を枠組みしてなる枠体に、上下框と縦框及び召合わせ框を框組みしてなる框体を有する内障子と外障子を納めてなるサッシにおいて、
前記左右の縦枠は、それぞれ閉じた状態の前記内障子または外障子の外周面に向かって突出する中間フィン部と、該中間フィン部より室内側から突出して前記内障子または外障子の室内側面と対向する室内フィン部とを、内周面に有し、
前記縦框は、前記縦枠の中間フィン部と対向する縦傾斜面部を外周面に有し、該縦傾斜面部は金属材により形成されると共に、室外内周側から室内外周側に向かう傾斜面状に形成され、
前記縦框は前記内障子または外障子が閉じた状態で前記中間フィン部の室内側面に当接する樹脂製の縦引き寄せ部材を外周面に備え、該縦引き寄せ部材が前記中間フィン部の室内側面に当接した状態で、前記縦傾斜面部は前記中間フィン部と離隔しており、
前記縦傾斜面部は、前記内障子または外障子が閉じた状態で前記サッシが高温に晒され、前記縦框が前記縦枠側に移動すると、前記中間フィン部に当接することを特徴とするサッシ。
【請求項２】
前記縦框の長手方向中間位置に前記縦傾斜面部を有する金属製の傾斜面部材が取付けられてなることを特徴とする請求項１記載のサッシ。
【請求項３】
前記傾斜面部材は前記縦框の外周面に固定される基部を備え、前記傾斜面部材の前記縦傾斜面部は前記基部から立ち上がり状に形成されて前記中間フィン部に近接対向することを特徴とする請求項２記載のサッシ。
【請求項４】
前記傾斜面部材と縦引き寄せ部材とが一体とされてなることを特徴とする請求項２または３記載のサッシ。
【請求項５】
前記縦框の外周面に傾斜面を形成することにより前記縦傾斜面部を構成することを特徴とする請求項１〜４のいずれか１項に記載のサッシ。
【請求項６】
前記縦框には上端部に樹脂製の上振止部品が取付けられ、該上振止部品は前記上枠に形成される上レール部に対し長手方向に沿って摺動自在な飲込部を備えると共に、金属製の上端引き寄せ部材を一体的に有してなり、該上端引き寄せ部材は前記飲込部を構成する側壁に沿う側面部を有し、該側面部の外周側端部に前記縦傾斜面部が形成されることを特徴とする請求項１〜５のいずれか１項に記載のサッシ。
【請求項７】
上下枠と左右の縦枠を枠組みしてなる枠体に、上下框と縦框及び召合わせ框を框組みしてなる框体を有する内障子と外障子を納めてなるサッシにおいて、
前記左右の縦枠は、それぞれ閉じた状態の前記内障子または外障子の外周面に向かって突出する中間フィン部と、該中間フィン部より室内側から突出して前記内障子または外障子の室内側面と対向する室内フィン部とを、内周面に有し、
前記中間フィン部は、前記縦框の室内側面と対向する枠側縦傾斜面部を有し、該枠側縦傾斜面部は室内根元側から室外先端側に向かう傾斜面状に形成され、
前記縦框は前記内障子または外障子が閉じた状態で前記中間フィン部の室内側面に当接する樹脂製の縦引き寄せ部材を外周面に備え、該縦引き寄せ部材が前記中間フィン部の室内側面に当接した状態で、前記枠側縦傾斜面部は前記中間フィン部と離隔しており、
前記枠側縦傾斜面部は、前記内障子または外障子が閉じた状態で前記サッシが高温に晒され、前記縦框が前記縦枠側に移動すると、前記縦框に当接することを特徴とするサッシ。
【発明の詳細な説明】
【技術分野】
【０００１】
本発明は、建物開口部に設けられる枠体内に内外障子を納めたサッシに関し、特に火災発生時に高温に晒されても枠体と障子の位置関係を保つことで隙間を発生させないようにしたサッシに関する。
【背景技術】
【０００２】
建物開口部に設けられるサッシにおいて、枠体内に内外障子を引き違い状に納めてなる引き違いサッシが広く用いられている。引き違いサッシを含むサッシには、火災が発生した場合にも、一定時間以上、閉塞状態を維持する防火性能が求められる。防火性能を十分に確保するためには、サッシが高温に晒されたとしても、サッシを構成する枠体と障子との位置関係をそのままに保つことで、枠体と障子の間に隙間を生じさせないようにすることが重要である。
【０００３】
サッシには、樹脂製のサッシはもちろんのこと、金属製のサッシにおいても、樹脂部材が各所に用いられている。このような樹脂部材は、火災時の高温に晒されると溶融するから、樹脂部材が溶融しても枠体と障子の位置関係が保たれるようにする必要がある。樹脂サッシにおいては、例えば枠体側と障子側にそれぞれ金属製の部品を設け、火災発生時にはそれらが掛かり合うようにすることで、障子の脱落を防ぐようにしたものが知られている。このようなサッシとしては、例えば特許文献１に挙げるようなものがある。
【先行技術文献】
【特許文献】
【０００４】
【特許文献１】特開２０１０−２６５６４６号公報
【発明の概要】
【発明が解決しようとする課題】
【０００５】
金属製のサッシにおいては、火災時に高温に晒されることで熱膨張が生じ、枠体を構成する枠材や障子を構成する框材が大きく伸びる現象が発生する。枠材や框材の端部に隙間がある場合には、これらの部材は長手方向に伸びていくが、隙間がない場合には、それ以上伸びることができないため、反りが発生して部材が屈曲する。このような屈曲が発生すると、枠体と障子の間には隙間が生じるから、その隙間から火炎が侵入し、防火性能を十分に確保することができない。
【０００６】
引き違いサッシの障子を構成する縦框は、障子を閉鎖した状態で枠体を構成する縦枠内周面と対向し、室内側面が縦枠の長手方向に沿って設けられる気密材に当接することで、気密性を確保するようにしている。通常時には、縦框の外周面に設けられる樹脂製の振止部品が、縦枠内周面に設けられるフィン部に当接し、縦框の室内外方向の振れを規制して確実に気密材に対し当接するようにしている。
【０００７】
しかし、前述のように火災が発生した場合には振止部品は溶融してしまうから、縦框の室内外方向の振れを規制するものがなく、縦框と縦枠のフィン部との間に隙間を生じてしまうこととなるので、これを防止する必要があった。
【０００８】
本発明は前記課題を鑑みてなされたものであり、サッシの障子を構成する縦框について、火災発生時にも室内外方向の振れを防止して確実に室内側面を縦枠の気密材に当接した状態を維持し、隙間の発生を防止することのできるサッシを提供することを目的とする。
【課題を解決するための手段】
【０００９】
前記課題を解決するため、本発明に係るサッシは、上下枠と左右の縦枠を枠組みしてなる枠体に、上下框と縦框及び召合わせ框を框組みしてなる框体を有する内障子と外障子を納めてなるサッシにおいて、
前記左右の縦枠は、それぞれ閉じた状態の前記内障子または外障子の外周面に向かって突出する中間フィン部と、該中間フィン部より室内側から突出して前記内障子または外障子の室内側面と対向する室内フィン部とを、内周面に有し、
前記縦框は、前記縦枠の中間フィン部と対向する縦傾斜面部を外周面に有し、該縦傾斜面部は金属材により形成されると共に、室外内周側から室内外周側に向かう傾斜面状に形成され、
前記縦框は前記内障子または外障子が閉じた状態で前記中間フィン部の室内側面に当接する樹脂製の縦引き寄せ部材を外周面に備え、該縦引き寄せ部材が前記中間フィン部の室内側面に当接した状態で、前記縦傾斜面部は前記中間フィン部と離隔しており、
前記縦傾斜面部は、前記内障子または外障子が閉じた状態で前記サッシが高温に晒され、前記縦框が前記縦枠側に移動すると、前記中間フィン部に当接することを特徴として構成されている。
【００１１】
さらに、本発明に係るサッシは、前記縦框の長手方向中間位置に前記縦傾斜面部を有する金属製の傾斜面部材が取付けられてなることを特徴として構成されている。
【００１２】
さらにまた、本発明に係るサッシは、前記傾斜面部材は前記縦框の外周面に固定される基部を備え、前記傾斜面部材の前記縦傾斜面部は前記基部から立ち上がり状に形成されて前記中間フィン部に近接対向することを特徴として構成されている。
【００１３】
そして、本発明に係るサッシは、前記傾斜面部材と縦引き寄せ部材とが一体とされてなることを特徴として構成されている。
【００１４】
また、本発明に係るサッシは、前記縦框の外周面に傾斜面を形成することにより前記縦傾斜面部を構成することを特徴として構成されている。
【００１５】
さらに、本発明に係るサッシは、前記縦框には上端部に樹脂製の上振止部品が取付けられ、該上振止部品は前記上枠に形成される上レール部に対し長手方向に沿って摺動自在な飲込部を備えると共に、金属製の上端引き寄せ部材を一体的に有してなり、該上端引き寄せ部材は前記飲込部を構成する側壁に沿う側面部を有し、該側面部の外周側端部に前記縦傾斜面部が形成されることを特徴として構成されている。
【００１６】
また、本発明に係るサッシは、上下枠と左右の縦枠を枠組みしてなる枠体に、上下框と縦框及び召合わせ框を框組みしてなる框体を有する内障子と外障子を納めてなるサッシにおいて、
前記左右の縦枠は、それぞれ閉じた状態の前記内障子または外障子の外周面に向かって突出する中間フィン部と、該中間フィン部より室内側から突出して前記内障子または外障子の室内側面と対向する室内フィン部とを、内周面に有し、
前記中間フィン部は、前記縦框の室内側面と対向する枠側縦傾斜面部を有し、該枠側縦傾斜面部は室内根元側から室外先端側に向かう傾斜面状に形成され、
前記縦框は前記内障子または外障子が閉じた状態で前記中間フィン部の室内側面に当接する樹脂製の縦引き寄せ部材を外周面に備え、該縦引き寄せ部材が前記中間フィン部の室内側面に当接した状態で、前記枠側縦傾斜面部は前記中間フィン部と離隔しており、
前記枠側縦傾斜面部は、前記内障子または外障子が閉じた状態で前記サッシが高温に晒され、前記縦框が前記縦枠側に移動すると、前記縦框に当接することを特徴として構成されている。
【発明の効果】
【００１７】
本発明に係るサッシによれば、縦框が縦枠の中間フィン部と対向する縦傾斜面部を外周面に有し、縦傾斜面部は金属材により形成され、室外内周側から室内外周側に向かう傾斜面状に形成されることにより、火災時にサッシが高温に晒され、熱膨張により縦框が縦枠側に移動すると、縦傾斜面部が中間フィン部の先端部に当接し、中間フィン部によって縦框が室内側に押し付けられるから、縦框の室内外方向への振れを防止して縦枠の室内フィン部に対する縦框の当接状態を維持し、縦枠と縦框の間に隙間を生じないようにすることができ、防火性能を高くすることができる。
【００１８】
また、本発明に係るサッシによれば、樹脂製の縦引き寄せ部材が中間フィン部の室内側面に当接した状態で、縦傾斜面部は中間フィン部と離隔していることにより、通常時には縦傾斜面部が中間フィン部と干渉しないので、金属同士が擦れて傷を生じることなく縦引き寄せ部材で縦框の室内側への引き寄せをなし、火災発生時には縦傾斜面部により確実に縦框の室内側への引き寄せをなすことができる。
【００１９】
さらに、本発明に係るサッシによれば、縦框の長手方向中間位置に縦傾斜面部を有する金属製の傾斜面部材が取付けられてなることにより、縦框に対し容易に縦傾斜面部を設けることができる。
【００２０】
さらにまた、本発明に係るサッシによれば、傾斜面部材の縦傾斜面部は基部から立ち上がり状に形成されて中間フィン部に近接対向することにより、縦傾斜面部と中間フィン部との間隔を小さくして、火災発生時には確実に縦傾斜面部が中間フィン部に当接するようにできる。
【００２１】
そして、本発明に係るサッシによれば、傾斜面部材と縦引き寄せ部材とが一体とされてなることにより、部品の取付を容易にすることができる。
【００２２】
また、本発明に係るサッシによれば、縦框の外周面に傾斜面を形成することにより縦傾斜面部を構成することにより、縦傾斜面部を形成するために別部品を設ける必要がなく、部品点数を削減することができる。
【００２３】
さらに、本発明に係るサッシによれば、上振止部品は金属製の上端引き寄せ部材を一体的に有し、上端引き寄せ部材は飲込部を構成する側壁に沿う側面部を有し、側面部の外周側端部に縦傾斜面部が形成されることにより、縦框の上端部においても縦傾斜面部を形成することができ、より確実な縦框の室内側への引き寄せをなすことができる。
【００２４】
また、本発明に係るサッシによれば、中間フィン部は、縦框の室内側面と対向する枠側縦傾斜面部を有し、枠側縦傾斜面部は室内根元側から室外先端側に向かう傾斜面状に形成されることにより、縦枠に縦傾斜面部を形成しているので、縦傾斜面部を形成するために別部品を設ける必要がなく、部品点数を削減することができる。
【図面の簡単な説明】
【００２５】
【図１】本実施形態のサッシの縦断面図である。
【図２】本実施形態のサッシの横断面図である。
【図３】内障子の縦框付近の拡大横断面図である。
【図４】傾斜面部材及び縦引き寄せ部材を一体化した部材の斜視図である。
【図５】傾斜面部材及び縦引き寄せ部材の分解斜視図である。
【図６】図５を裏側から見た分解斜視図である。
【図７】火災発生時の状態における内障子の縦框付近の拡大横断面図である。
【図８】第２の実施例の縦傾斜面部を有する縦框付近の拡大横断面図である。
【図９】第２の実施例の縦傾斜面部を有する縦框付近の拡大横断面図である。
【図１０】第２の実施例の縦傾斜面部が機能した状態における縦框付近の拡大横断面図である。
【図１１】第３の実施例の縦傾斜面部を有する縦框付近の拡大横断面図である。
【図１２】第３の実施例の縦傾斜面部が機能した状態における縦框付近の拡大横断面図である。
【図１３】縦框を上方から平面視するサッシの拡大横断面図である。
【図１４】上振止部品の斜視図である。
【図１５】上端引き寄せ部材の斜視図である。
【図１６】上端引き寄せ部材の縦傾斜面部が機能した状態における縦框を上方から平面視するサッシの拡大横断面図である。
【発明を実施するための形態】
【００２６】
本発明の実施形態について図面に沿って詳細に説明する。図１には本実施形態のサッシの縦断面図を、図２には本実施形態のサッシの横断面図を、それぞれ示している。これら各図に示すように、本実施形態のサッシは、建物開口部に取付けられる枠体１内に、内障子２と外障子３を引き違い状に納めてなる引き違いサッシである。
【００２７】
枠体１は、いずれも金属材からなる上枠１０と下枠１１及び左右の縦枠１２、１２を方形状に枠組みして構成されている。内障子２と外障子３は、それぞれいずれも金属材からなる上框２０と下框２１、縦框２２及び召合わせ框２３を方形状に框組みしてなる框体４内に、ガラス板からなるパネル体５を納めて構成されている。
【００２８】
枠体１を構成する上枠１０は、内周面１０ａの室内外端部からそれぞれ垂直方向に伸びる室内側面１０ｂと室外側面１０ｃを備え、これら室内側面１０ｂと室外側面１０ｃの間には、内障子２の上辺を長手方向に案内する内上レール部１０ｄと、外障子３の上辺を長手方向に案内する外上レール部１０ｅとが、それぞれ内周面１０ａから突出状に形成されている。
【００２９】
枠体１を構成する下枠１１は、内周面１１ａが室内外方向に段差を有するように形成されており、室内側が高く、室外側が低くなっている。この内周面１１ａのうち高い側の室内側には、内障子２の下辺を長手方向に案内する内レール部１１ｂが、内周面１１ａのうち低い側の室外側には、外障子３の下辺を長手方向に案内する外レール部１１ｃが、それぞれ突出状に形成されている。
【００３０】
下枠１１の室内側面には、内障子２を構成する下框２１の室内側面と対向する内障子対向部１１ｄが形成され、その先端部には気密材１１ｆが設けられて、この気密材１１ｆが内障子２の室内側面に当接することで、内障子２下辺の気密性を確保している。また、下枠１１には、内レール部１１ｂの下部から室外側に突出し外障子３を構成する下框２１の室内側面と対向する外障子対向部１１ｅが形成され、その先端部には気密材１１ｆが設けられて、この気密材１１ｆが外障子３の室内側面に当接することで、外障子３下辺の気密性を確保している。
【００３１】
枠体１を構成する縦枠１２は、内周面１２ａの室内外端部からそれぞれ垂直方向に伸びる室内側面１２ｂと室外側面１２ｃを備えている。縦枠１２のうち、閉じた状態の内障子２が配置される側の内周面１２ａには、内障子２の外周面に向かって突出する中間フィン部１２ｄが形成されている。また、室内側面１２ｂを構成する面のうち内周面１２ａより見付方向内側に突出する部分は、内障子２を構成する縦框２２の室内側面と対向する室内フィン部１２ｆとなっている。室内フィン部１２ｆの先端部には、気密材１２ｇが設けられて内障子２の室内側面に当接し、内障子２縦辺の気密性を確保している。
【００３２】
縦枠１２のうち、閉じた状態の外障子３が配置される側の内周面１２ａには、外障子３の外周面に向かって突出する中間フィン部１２ｄが形成されている。また、中間フィン部１２ｄより室内側の内周面１２ａからは、外障子３を構成する縦框２２の室内側面と対向する室内フィン部１２ｆが突出しており、その先端部には気密材１２ｇが設けられて外障子３の室内側面に当接し、外障子３縦辺の気密性を確保している。
【００３３】
框体４を構成する上框２０は、内周側にはパネル体５の端部を納めるパネル飲込部２０ａを有し、外周側には上枠１０の内上レール部１０ｄまたは外上レール部１０ｅを飲み込んで案内されるレール案内部２０ｂを有している。レール案内部２０ｂは断面凹状となっており、その開口付近には室内外にそれぞれ気密材２０ｃが設けられていて、これらが内上レール部１０ｄまたは外上レール部１０ｅに当接することで、内障子２及び外障子３上辺の気密性を確保している。
【００３４】
框体４を構成する下框２１は、内周側にパネル体５の端部を納めるパネル飲込部２１ａを有している。下框２１の外周側、すなわち下端部には戸車２１ｄが設けられており、戸車２１ｄが下枠１１の内レール部１１ｂまたは外レール部１１ｃに載置されることにより、内障子２や外障子３を移動自在としている。
【００３５】
下框２１の室内側面には、下端部が下方に延出された室内面延出部２１ｂが形成されている。内障子２の室内面延出部２１ｂは下枠１１の内障子対向部１１ｄと対向し、外障子３の室内面延出部２１ｂは下枠１１の外障子対向部１１ｅと対向して、気密材１１ｆに当接する。下框２１の室外側面にも、下端部が下方に延出された室外面延出部２１ｃが形成されている。室外面延出部２１ｃは、内レール部１１ｂまたは外レール部１１ｃの上端より下方まで延出されており、風雨の室内側への吹き込みを防止している。
【００３６】
框体４を構成する縦框２２は、内周側にパネル体５の端部を納めるパネル飲込部２２ａを有している。縦框２２の外周側には縦枠１２の中間フィン部１２ｄを飲み込む凹状のフィン飲込部２２ｃが形成されている。フィン飲込部２２ｃを構成する室内側面は、縦枠１２の室内フィン部１２ｆに設けられる気密材１２ｇに対して当接し、これによって内障子２及び外障子３縦辺の気密性を確保している。
【００３７】
縦框２２のパネル飲込部２２ａには、長手方向中間位置の室内側部分に、樹脂製のピース状からなる縦引き寄せ部材２５が設けられている。縦引き寄せ部材２５は、内障子２または外障子３が閉じた状態で、パネル飲込部２２ａの室内側面と縦枠１２の中間フィン部１２ｄとに挟まれる形状を有しており、内障子２または外障子３を閉じた際に、縦框２２が室内外方向に振れないようにすると共に、内障子２または外障子３を室内側に引き寄せて、縦框２２が確実に縦枠１２の気密材１２ｇに当接するようにしている。縦引き寄せ部材２５は、縦枠１２の中間フィン部１２ｄに傷をつけないようにするため、樹脂によって形成されている。
【００３８】
框体４を構成する召合わせ框２３は、内周側にパネル体５の端部を納めるパネル飲込部２３ａを有している。また、外障子３を構成する召合わせ框２３の室内側壁部２３ｂと、内障子２を構成する召合わせ框２３の室外側壁部２３ｃには、それぞれ略Ｌ字状に形成され内障子２と外障子３が閉じた状態で互いに噛み合う煙返し部２３ｇが形成されている。また、内障子２を構成する召合わせ框２３の室外側壁部２３ｃには、気密材２３ｈが設けられている。煙返し部２３ｇによって、内障子２と外障子３の召合わせ部分における隙間が塞がれ、さらに気密材２３ｈによって召合わせ辺の気密性を確保している。
【００３９】
次に、縦框２２における防火性能の確保について詳細に説明する。火災が発生してサッシが高温に晒されると、縦框２２に設けられている樹脂製の縦引き寄せ部材２５は溶融して溶け落ちるから、そのままでは縦枠１２と縦框２２の間に隙間を生じ、防火性能を低下させる。そこで、本実施形態では、縦引き寄せ部材２５が溶け落ちても、縦框２２を室内側に引き寄せた状態を維持することにより、隙間の発生を防止し、防火性能を確保しようとしている。
【００４０】
図３には、内障子２の縦框２２付近の拡大横断面図を示している。この図に示すように、縦框２２に設けられる縦引き寄せ部材２５には、さらに金属製の傾斜面部材２４が一体化されている。傾斜面部材２４は、縦枠１２の中間フィン部１２ｄに近接対向する縦傾斜面部２４ｂを有しており、この縦傾斜面部２４ｂは、室外内周側から室内外周側に向かう傾斜面状に形成されている。
【００４１】
図４には傾斜面部材２４及び縦引き寄せ部材２５を一体化した部材の斜視図を、図５と図６には傾斜面部材２４及び縦引き寄せ部材２５の分解斜視図を、それぞれ示している。金属材からなる傾斜面部材２４は、縦框２２の外周面に対して固定される基部２４ａを備え、この基部２４ａから縦傾斜面部２４ｂが傾斜した立ち上がり状に形成されると共に、その両側には、縦引き寄せ部材２５を固定するための嵌合部２４ｄが垂直の立ち上がり状に形成されている。
【００４２】
基部２４ａには縦框２２に対してビス止めするための固定孔２４ｃが形成されている。固定孔２４ｃは、縁部が傾斜面状となるように形成されており、傾斜面部材２４を固定するビス２８の頭部が、基部２４ａの厚みより突出しないようにしている。これにより、ビス２８が中間フィン部１２ｄに干渉することを防止している。また、固定孔２４ｃは若干長孔状となるように形成されており、傾斜面部材２４の位置調整を可能としている。これによって、縦傾斜面部２４ｂと中間フィン部１２ｄとの位置関係を正確に調整することができる。
【００４３】
縦引き寄せ部材２５は、縦框２２の先端に位置する側に、傾斜面状の引き寄せ面部２５ａが形成されている。引き寄せ面部２５ａは、内障子２を閉じる際に、中間フィン部１２ｄの先端部に当接する。そしてこの引き寄せ面部２５ａが傾斜面状となっていることにより、縦引き寄せ部材２５を円滑に中間フィン部１２ｄの室内側に導くことができる。
【００４４】
縦引き寄せ部材２５には、図６に示すように、引き寄せ面部２５ａが形成される側と反対側の面に、突起状の嵌合突起部２５ｂが形成されている。この嵌合突起部２５ｂが傾斜面部材２４の嵌合部２４ｄに対して嵌合することにより、傾斜面部材２４と縦引き寄せ部材２５とが一体化される。また、縦引き寄せ部材２５の両端部には、縦框２２に対して嵌合する縦框固定部２５ｃも形成されており、これによって縦引き寄せ部材２５は、縦框２２に対しても固定がなされる。
【００４５】
火災が発生してサッシが高温に晒されると、前述のように樹脂製の縦引き寄せ部材２５は、溶融して溶け落ちる。さらに、温度上昇に伴い、框体４を構成する各框材も大きく伸びる。上框２０及び下框２１が長手方向に伸びることにより、縦框２２は縦枠１２の内周面１２ａに向かって移動する。図７には、火災発生時の状態における内障子２の縦框２２付近の拡大横断面図を示している。
【００４６】
図７に示すように、火災発生時においても、金属材からなる傾斜面部材２４はそのまま縦框２２に固定されている。縦框２２が縦枠１２の内周面１２ａ側に移動すると、傾斜面部材２４の縦傾斜面部２４ｂが中間フィン部１２ｄの先端部に当接し、縦框２２がさらに縦枠１２の内周面１２ａ側に移動するのに伴い、縦傾斜面部２４ｂの傾斜方向に沿って縦框２２が中間フィン部１２ｄによって室内側に押圧される。それによって、縦框２２の室内側面が縦枠１２の室内フィン部１２ｆに設けられる気密材１２ｇに対して押し付けられるため、縦框２２と縦枠１２の間に隙間を生じないようにすることができる。すなわち、縦框２２における防火性能を保つことができる。
【００４７】
また、中間フィン部１２ｄにおいても、先端部が縦傾斜面部２４ｂと対向する傾斜面状に形成されているので、傾斜面部材２４が中間フィン部１２ｄ側に近づいてきた際に、縦傾斜面部２４ｂを確実に中間フィン部１２ｄの室内側に向かって導くことができ、より確実に防火性能を発揮させることができる。
【００４８】
このように、縦框２２の外周面に縦傾斜面部２４ｂを設けて、縦枠１２の中間フィン部１２ｄに近接対向させるようにしたことにより、簡易な構成で確実な縦框２２の室内側への引き寄せを実現することができる。また、通常時には内障子２を閉じた状態で縦傾斜面部２４ｂが中間フィン部１２ｄに当接することなく近接対向するので、防火のための部品が通常時における障子の開閉を阻害することがなく、火災発生時にのみ機能を発揮させることができる。なお、ここでは内障子２の引き寄せ構造について説明したが、外障子３についても同じ構造となっており、同じ効果を得ることができる。また、以下の実施例においても、内障子２と外障子３では同様の引き寄せ構造を有している。
【００４９】
本実施形態では、傾斜面部材２４と縦引き寄せ部材２５とを一体化して縦框２２に固定するようにしたが、両者は必ずしも一体である必要はなく、縦框２２の外周面に別々に設けるようにしてもよい。ただし、一体化した方が取付作業を容易にすることができる。
【００５０】
図８には、第２の実施例の縦傾斜面部を有する縦框２２付近の拡大横断面図を示している。図８（ａ）は通常時を表しており、この図では縦引き寄せ部材２５は省略している。本実施例の傾斜面部材２４は、基部２４ａから根元面部２４ｆが垂直方向に立ち上がり、その先端部が傾斜状とされて縦傾斜面部２４ｂが形成されている。傾斜面部材２４の根元面部２４ｆは、通常状態における縦枠１２の中間フィン部１２ｄを内周側に延長した面の室外側に隣接する位置に形成されている。
【００５１】
図８（ｂ）は、火災が発生して縦框２２が縦枠１２側に近づいた状態を示している。火災が発生して縦框２２が縦枠１２の内周面１２ａに近づくと、縦傾斜面部２４ｂが中間フィン部１２ｄに衝当し、さらに縦框２２が縦枠１２の内周面１２ａに近づくと、根元面部２４ｆが中間フィン部１２ｄの室内側面に当接した状態となる。中間フィン部１２ｄと根元面部２４ｆの位置関係は前述の通りであるから、根元面部２４ｆは中間フィン部１２ｄによって室内側に押圧され、縦框２２の室内側面は室内フィン部１２ｆの気密材１２ｇに対して押し付けられ、図３、７で示した実施例と同様の効果を得ることができる。
【００５２】
また、本実施形態では傾斜面部材２４に縦傾斜面部２４ｂを設ける構成としたが、縦框２２自体に縦傾斜面部を設けるようにしてもよい。図９には、第３の実施例の縦傾斜面部を有する縦框２２付近の拡大横断面図を示している。この図に示すように、この実施例では、縦框２２の外周面に室外内周側から室内外周側に向かう傾斜面状の縦傾斜面部２２ｄを形成しており、縦傾斜面部２２ｄは中間フィン部１２ｄと対向している。
【００５３】
図１０には、第３の実施例の縦傾斜面部が機能した状態における縦框２２付近の拡大横断面図を示している。この図は、図７と同様、火災発生時の状態を表しており、このとき縦引き寄せ部材２５は溶融して溶け落ちているものとする。縦引き寄せ部材２５が存在せず、また縦框２２が縦枠１２側に移動することにより、縦框２２に形成された縦傾斜面部２２ｄは、縦枠１２の中間フィン部１２ｄの室内側に当接し、中間フィン部１２ｄによって室内側に押圧される。これにより、縦框２２の室内側面は室内フィン部１２ｆの気密材１２ｇに対して押し付けられ、縦框２２と縦枠１２の間に隙間を生じるのを防止し、防火性能を高くすることができる。
【００５４】
さらに、縦框２２側ではなく、縦枠１２側に縦傾斜面部を設けるようにしてもよい。図１１には、第４の実施例の縦傾斜面部を有する縦框２２付近の拡大横断面図を示している。この図に示すように、縦枠１２の中間フィン部１２ｄは、根元の位置が図７などに示したものに比べ、より室内側の位置にあって、根元部分付近が平面状の根元面部１２ｉであり、この根元面部１２ｉより先端側の中間位置には、室内根元側から室外先端側に向かう傾斜面状の枠側縦傾斜面部１２ｈを有している。枠側縦傾斜面部１２ｈより先端側は、中間フィン部１２ｄとして機能する位置、すなわち縦框２２のフィン飲込部２２ｃの中央位置となるように形成されている。
【００５５】
この縦枠１２の中間フィン部１２ｄは、通常時においては縦引き寄せ部材２５に当接して、中間フィン部１２ｄとしての機能を果たすことができる。一方で、火災発生時には、縦框２２を室内側に引き寄せる機能を発揮することができる。図１２には、第４の実施例の縦傾斜面部が機能した状態における縦框２２付近の拡大横断面図を示している。この図は、図７と同様、火災発生時の状態を表しており、このとき縦引き寄せ部材２５は溶融して溶け落ちているものとする。
【００５６】
縦引き寄せ部材２５が存在せず、また縦框２２が縦枠１２側に移動することにより、縦框２２の室内側面の外周端は、中間フィン部１２ｄの枠側縦傾斜面部１２ｈに当接して室内側に押圧される。中間フィン部１２ｄの根元面部１２ｉは、通常状態における縦框２２の室内側面を外周側に延長した面の室外側に隣接する位置に形成されているので、縦枠１２の内周面１２ａに当接した状態では、中間フィン部１２ｄの根元面部１２ｉに当接する。これにより、縦框２２の室内側面は室内フィン部１２ｆの気密材１２ｇに対して押し付けられ、縦框２２と縦枠１２の間に隙間を生じるのを防止し、防火性能を高くすることができる。
【００５７】
これまで説明した縦傾斜面部は、いずれも縦框２２の長手方向中間位置、あるいは長手方向に沿って設けられるものである。一方、縦框２２の上端部には、上振止部品２６が設けられており、これらの縦傾斜面部は、上振止部品２６に対してはそのままでは適用できないから、別の部品を設ける必要がある。
【００５８】
図１３には、縦框２２を上方から平面視するサッシの拡大横断面図を示している。なお、この図では上框２０は省略されている。この図に示すように、縦框２２の上端部には、樹脂製の上振止部品２６が設けられている。上振止部品２６は、上框２０のレール案内部２０ｂよりも幅狭で上枠１０の内上レール部２０ｄまたは外上レール部２０ｅに対し長手方向に沿って摺動自在な飲込部２６ａを有している。飲込部２６ａの両開口縁には、ヒレ部２６ｂが形成されており、これらが内上レール部２０ｄまたは外上レール部２０ｅに対して直接、摺接する。また、飲込部２６ａの外周側端部には、中間フィン部１２ｄに当接して縦框２２を室内側に引き寄せる引き寄せ部２６ｃが形成されている。
【００５９】
図１４には、上振止部品２６の斜視図を示している。上振止部品２６には、金属製の上端引き寄せ部材２７が一体的に取付けられている。図１５には上端引き寄せ部材２７の斜視図を示している。上端引き寄せ部材２７は、上振止部品２６の飲込部２６ａを構成する側壁に沿う２つの側面部２７ａ、２７ａを有し、各側面部２７ａの外周端は、それぞれ端部に向かって広がる方向に傾斜して縦傾斜面部２７ｂを構成している。
【００６０】
図１３において、上端引き寄せ部材２７の縦傾斜面部２７ｂは、破線にて表されている。この図に示されているように、縦傾斜面部２７ｂは飲込部２６ａを挟んで両側に形成されているが、そのうち一方が室外内周側から室内外周側に向かう傾斜状となり、縦枠１２の中間フィン部１２ｄと対向する。他方の縦傾斜面部２７ｂは中間フィン部１２ｄと対向しないため、機能しないが、図１３に示されている外障子３ではなく、内障子２に取付ける際には、他方側の縦傾斜面部２７ｂが機能する。すなわち、両側面部２７ａにそれぞれ縦傾斜面部２７ｂが形成されていることにより、左右勝手違いに対応して部品を共用化することができる。
【００６１】
図１６には、上端引き寄せ部材２７の縦傾斜面部２７ｂが機能した状態における縦框２２を上方から平面視するサッシの拡大横断面図を示している。この図は、図７と同様、火災発生時の状態を表しており、このとき上振止部品２６は溶融して溶け落ちているものとする。上振止部品２６が存在せず、また縦框２２が縦枠１２側に移動することにより、上端引き寄せ部材２７の縦傾斜面部２７ｂは、縦枠１２の中間フィン部１２ｄの室内側に当接し、中間フィン部１２ｄによって室内側に押圧される。これにより、縦框２２の室内側面は室内フィン部１２ｆの気密材１２ｇに対して押し付けられ、縦框２２と縦枠１２の間に隙間を生じるのを防止し、防火性能を高くすることができる。
【００６２】
本実施形態では、縦框２２の中間位置に縦傾斜面部２４ｂを有する傾斜面部材２４を設け、縦框２２の上端部に縦傾斜面部２７ｂを有する上端引き寄せ部材２７を設けることで、縦框２２の上端と中間位置でそれぞれ縦枠１２側に引き寄せておくことができ、縦框２２と縦枠１２の間における防火性能を高くすることができる。
【００６３】
以上、本発明の実施形態について説明したが、本発明の適用は本実施形態には限られず、その技術的思想の範囲内において様々に適用されうるものである。例えば、本実施形態では内外障子２、３が枠体１内に引き違い状に納められるものとしたが、内外障子２、３のいずれかが枠体１に固定された片引きサッシであっても、同様に本発明を適用できる。
【符号の説明】
【００６４】
１    枠体
２    内障子
３    外障子
４    框体
５    パネル体
１０    上枠
１１    下枠
１２    縦枠
１２ａ  内周面
１２ｄ  中間フィン部
１２ｇ  気密材
２０    上框
２１    下框
２２    縦框
２３    召合わせ框
２４    傾斜面部材
２４ａ  基部
２４ｂ  縦傾斜面部
２５    縦引き寄せ部材
２６    上振止部品
２７    上端引き寄せ部材
２７ａ  側面部
２７ｂ  縦傾斜面部
【図１】
0005842265.tif 000002
【図２】
0005842265.tif 000003
【図３】
0005842265.tif 000004
【図４】
0005842265.tif 000005
【図５】
0005842265.tif 000006
【図６】
0005842265.tif 000007
【図７】
0005842265.tif 000008
【図８】
0005842265.tif 000009
【図９】
0005842265.tif 000010
【図１０】
0005842265.tif 000011
【図１１】
0005842265.tif 000012
【図１２】
0005842265.tif 000013
【図１３】
0005842265.tif 000014
【図１４】
0005842265.tif 000015
【図１５】
0005842265.tif 000016
【図１６】
0005842265.tif 000017